(57)【要約】【課題】所望の方向に折り曲げ易く、端末加工時の絶縁フィルムの除去作業及びケーブルとコネクタとの接続作業を容易に行い得る差動信号伝送ケーブルを提供する。【解決手段】２本の絶縁電線１２と少なくとも１本のドレイン線１４とが同一平面上に並列配置され、その外周に導電テープからなるシールド層１６が設けられた差動信号対電線１８を備えている。かかる差動信号対電線１８の複数本を、それぞれ同一平面上に並列配置すると共に、これらの差動信号対電線１８の平面部に亘って絶縁フィルム２０を配置した。絶縁フィルム２０は並列配置された差動信号対電線１８の両側あるいは片側に配置されている。【選択図】図１
2007059323.tif 000002
【特許請求の範囲】
【請求項１】
２本の絶縁電線と少なくとも１本のドレイン線とが同一平面上に並列配置され、その外周に金属プラスチックラミネートテープの金属面を内側に、かつプラスチック面を外側にして縦添え若しくは螺旋巻きしてなる遮蔽層が設けられた差動信号対電線を備え、
前記差動信号対電線の複数本を、それぞれ前記同一平面上に並列配置すると共に、これらの差動信号対電線の平面部に亘って絶縁フィルムを配設したことを特徴とする差動信号伝送ケーブル。
【請求項２】
請求項１記載の差動信号伝送ケーブルにおいて、
前記絶縁フィルムの２枚を、前記複数の差動信号対電線の両平面部にそれぞれ対向配置して前記差動信号対電線には接着し、かつ絶縁フィルムどうしでは接着しないように配設したことを特徴とする差動信号伝送ケーブル。
【請求項３】
請求項１記載の差動信号伝送ケーブルにおいて、
前記絶縁フィルムの１枚を、前記複数の差動信号対電線の一方平面部に対向配置すると共に前記差動信号対電線に接着するように配設したことを特徴とする差動信号伝送ケーブル。
【請求項４】
請求項１ないし３のいずれかに記載の差動信号伝送ケーブルにおいて、
前記複数本の差動信号対電線及び絶縁フィルムを、アコーデオン蛇腹状に左右に折り畳んだことを特徴とする差動信号伝送ケーブル。
【請求項５】
請求項４記載の差動信号伝送ケーブルにおいて、
前記複数本の差動信号対電線及び絶縁フィルムに捩りを加えたことを特徴とする差動信号伝送ケーブル。
【発明の詳細な説明】
【技術分野】
【０００１】
本発明は、コンピュータデバイスの周辺機器、高解像度の画像の伝送や高速ＨＤＤ等の記憶媒体の伝送回路に用いられる差動信号伝送ケーブルに関する。
【背景技術】
【０００２】
従来から、高速伝送方式として差動信号伝送（ディファレンシャル）方式が注目されている。この差動信号伝送方式によるコンピュータデバイスの周辺機器、高解像度の画像伝送回路、高速ＨＤＤ等の信号記憶媒体を繋ぐのに好適な伝送回路として差動信号伝送ケーブルがある。中でも５００Ｍｂｐｓ以上の高速伝送に用いられる差動信号伝送ケーブルは伝達信号どうしの僅かな信号の伝播遅延時間差（スキュー）が問題となる。このため、差動信号伝送ケーブルは、信号線となる２本の絶縁電線どうしの伝播遅延時間差を限りなくゼロに近づける必要がある。
【０００３】
このような要求に適合した従来の差動信号伝送ケーブルの第１の例として、図５（ａ）に示すケーブルがある。すなわち、中心導体５１の外周に低密度絶縁層５２及びスキン層５３を順次設けた絶縁電線（信号線）５４を２本平行に接して並べ、これらの２本の絶縁電線５４の外周に、金属プラスチックラミネートテープを金属面を外側にして包囲して遮蔽層５５を設け、この遮蔽層５５の外側で、２本の絶縁電線５４の中央外側部の一方にドレイン線５６を縦添えし、このドレイン線５６と遮蔽層５５の外周に合成樹脂テープを巻回して押え巻きテープ層５７を設け、さらにこの外周に絶縁層５８を被覆してなる差動信号対電線からなる差動信号伝送ケーブル５９である。
【０００４】
さらに、従来の差動信号伝送ケーブルの第２の例として、図５（ｂ）に示すケーブルがある。すなわち、従来の第１の例と同じ構造の２本の絶縁電線５４の電気的平衡度を重視した、ビットレートの高速化に対応したハイスペック品として、２本の絶縁電線５４を平行に並べ、それらの両側にドレイン線５６を配置し、４芯フラット構造を保ちつつ金属プラスチックラミネートテープを金属面を内側にして螺旋巻き若しくは縦添えして遮蔽層５５を形成し、その外側に絶縁層５８を被覆してなる差動信号対電線からなる差動信号伝送ケーブル６０が知られている。また、差動信号対電線が複数本、平行に並べられ隣接する差動信号対電線の保護被膜どうしが互いに接着または融着して構成することも知られている（例えば、特許文献１参照）。
【０００５】
そして、複数本の絶縁電線を撚り合わせて高速信号伝送ケーブルを製造する際に、各絶縁電線を全て略等しい長さにした状態で撚り合わせて、絶縁電線どうしのスキューを限りなくゼロに近づけることができるように組立て加工される高速信号伝送ケーブルとして、差動信号対電線が複数本、平行に所定のピッチ間隔で平面状に並べられ、これらの差動信号対電線の長手方向に対して横断する複数の固定テープを間欠的に配置し、これらの固定テープによって差動信号対電線が一体に保持された高速信号伝送ケーブルが知られている（例えば、特許文献２参照）。
【０００６】
また、従来、図６に示すように２本の絶縁電線５４を平行に並べ、それらの両側にドレイン線５６を配置し、これらの外側に、アルミニウム箔付きポリエステルフィルム等の金属プラスチックラミネートテープによる遮蔽層５５を螺旋巻き若しくは縦添えしてなる差動信号対電線５９を複数本平行に並べ、それらの外側に共通の絶縁層３０を設けてなる差動信号伝送ケーブル６１が知られている。また、従来、図７に示すように複数本の差動信号対電線５９を平行に並べ、それらの外側を２枚の絶縁フィルム２８で両側から全面密着させて貼り合わせた構造の差動信号伝送ケーブル６２が知られている。
【特許文献１】特開２００１−９３３５７号公報
【特許文献２】特開２００３−３１７５５１号公報
【発明の開示】
【発明が解決しようとする課題】
【０００７】
ところで、上記の技術には、次のような解決すべき課題があった。
差動信号対電線を簾状に配置し間欠的に電線どうしを融着したり、差動信号対電線の長手方向に対して横断する複数の固定テープを間欠的に配置した場合には、差動信号対電線の遮蔽層の外周上に絶縁層が必要になる。また、図６に示した構造の差動信号伝送ケーブル６１は、複数本の差動信号対電線５９の外側に共通の絶縁層３０があるため、可撓性に乏しく所望の方向に折り曲げ難く布設時の作業性が悪い。また、図７に示した構造の差動信号伝送ケーブル６２は、絶縁フィルム２８で複数本の差動信号対電線５９を両側から全面に亘って隙間なく貼り合わせているため、全体的に硬くて所望の方向に折り曲げ難く、しかもケーブル端末加工時に絶縁フィルム２８を差動信号対電線５９から除去する作業に多くの時間がかかるという課題がある。
【０００８】
本発明は、以上の課題を解決するためになされたもので、所望の方向に折り曲げ易く、端末加工時の絶縁フィルムの除去作業及びケーブルとコネクタとの接続作業を容易に行い得る差動信号伝送ケーブルを提供することを目的とする。
【課題を解決するための手段】
【０００９】
本発明の各実施例においては、それぞれ次のような構成により上記の課題を解決する。
〈構成１〉
２本の絶縁電線と少なくとも１本のドレイン線とが同一平面上に並列配置され、その外周に金属プラスチックラミネートテープの金属面を内側に、かつプラスチック面を外側にして縦添え若しくは螺旋巻きしてなる遮蔽層が設けられた差動信号対電線を備え、上記差動信号対電線の複数本を、それぞれ上記同一平面上に並列配置すると共に、これらの差動信号対電線の平面部に亘って絶縁フィルムを配設したことを特徴とする差動信号伝送ケーブル。
【００１０】
所望の方向に折り曲げ易く、端末加工時の絶縁フィルムの除去作業及びケーブルとコネクタとの接続作業が容易に行い得る。
【００１１】
〈構成２〉
構成１記載の差動信号伝送ケーブルにおいて、上記絶縁フィルムの２枚を、上記複数の差動信号対電線の両平面部にそれぞれ対向配置して上記差動信号対電線には接着し、かつ絶縁フィルムどうしでは接着しないように配設したことを特徴とする差動信号伝送ケーブル。
【００１２】
差動信号対電線を絶縁フィルムで全長に亘って固定することで、差動信号対電線の絶縁特性を確保でき、また外層の絶縁層を必要としないのでケーブル自体を薄くできる。
【００１３】
〈構成３〉
構成１記載の差動信号伝送ケーブルにおいて、上記絶縁フィルムの１枚を、上記複数の差動信号対電線の一方平面部に対向配置すると共に上記差動信号対電線に接着するように配設したことを特徴とする差動信号伝送ケーブル。
【００１４】
差動信号対電線の遮蔽層を形成する金属プラスチックラミネートテープの金属面を内側に、かつプラスチック面を外側にして縦添え若しくは螺旋巻きにすることで金属ラミネートテープのプラスチック層により絶縁特性が確保できるので、差動信号対電線の遮蔽層の外層に絶縁層を必要としない。従ってケーブル自体を薄くできるのでケーブル自体の可撓性が良く所望の方向に曲げやすく、絶縁フィルムの除去作業が容易になるのでケーブルとコネクタとの接続作業が容易になる。
【００１５】
〈構成４〉
構成１ないし３のいずれかに記載の差動信号伝送ケーブルにおいて、上記複数本の差動信号対電線及び絶縁フィルムを、アコーデオン蛇腹状に左右に折り畳んだことを特徴とする差動信号伝送ケーブル。
【００１６】
アコーデオン蛇腹状に折り畳むことで、折り畳んだ幅方向に折り曲げることが可能になる。
【００１７】
〈構成５〉
構成４記載の差動信号伝送ケーブルにおいて、上記複数本の差動信号対電線及び絶縁フィルムに捩りを加えたことを特徴とする差動信号伝送ケーブル。
【００１８】
ケーブルに捻りを加えることで可撓性が付与されるので、ケーブルが曲がり易くなる。
【発明を実施するための最良の形態】
【００１９】
以下、本発明の実施の形態を実施例ごとに詳細に説明する。
【実施例１】
【００２０】
図１は実施例１の差動信号伝送ケーブルを示す横断面図、図２はその一部を構成する差動信号対電線を示す斜視図である。
図１、図２において、この差動信号伝送ケーブル２２は、２本の絶縁電線１２と２本のドレイン線１４とが同一平面上に並列配置され、その外周に金属プラスチックラミネートテープによる遮蔽層１６が設けられた差動信号対電線１８を備え、差動信号対電線１８の複数本を、それぞれ同一平面上に並列配置すると共に、これらの差動信号対電線１８の平面部に亘って絶縁フィルム２０を配置して構成されている。なお、差動信号対電線１８の平面部とは、図１に示すように、差動信号対電線１８を横断面でみたときに、絶縁電線１２とドレイン線の配列方向にほぼ平行な外面２３をいうものとする。
【００２１】
絶縁電線１２は、例えば、錫めっき軟銅線あるいは錫めっき軟銅撚線を中心導体とし、この中心導体の外周に、ポリエチレン、フッ素樹脂等の高周波でも安定した低誘電率の絶縁材料からなる絶縁層を有する信号線である。遮蔽層１６は、アルミニウム箔付きあるいは銅箔付きのポリエステルテープ等の金属プラスチックラミネートテープを、金属面を内側にして２本の絶縁電線１２と２本のドレイン線１４の周囲に螺旋巻き若しくは縦添えすることにより形成されている。なお、ここでドレイン線１４は１本の場合でもよい。
【００２２】
絶縁フィルム２０は、図１に示すように、２枚使用され、同一平面上に並列配置された複数の差動信号対電線１８の両平面部２３にそれぞれ対向配置され、差動信号対電線１８には接着され、かつ絶縁フィルム２０どうしでは接着しないように配設されている。
【００２３】
差動信号伝送ケーブル２２は、絶縁フィルム２０が差動信号対電線１８には接着され、かつ絶縁フィルム２０どうしでは接着しないようにされているので、図７に示したように絶縁フィルム２０どうしで接着した場合と比べて、絶縁フィルム２０が格段に曲がり易くなっている。従って、図３に示すように、複数本の差動信号対電線１８及び絶縁フィルム２０を、アコーデオン蛇腹状に折り畳むことができる。さらに、全体的に丸く束ねることができる。
【００２４】
このように構成することによって、差動信号伝送ケーブル２２がコンパクトに丸く束ねられるが、さらにケーブル長手方向に捻りを加えることでケーブル自体に可撓性を付与することができる。すなわち、フラット状のケーブルを丸く束ねるだけではケーブル自体に可撓性がなく、アコーデオン蛇腹状に折り畳むことで、折り畳んだ折り目方向にはケーブルを曲げることはできないが、幅方向に対しては折り曲げることが可能になる。さらに、アコーデオン蛇腹状に折り畳み全体的に丸く束ねた差動信号伝送ケーブルに捻りを加えることでケーブルに可撓性を与えることができる。
【００２５】
また、各差動信号対電線１８が間隔を置いた状態となっていることにより、差動信号対電線１８間に切れ目を入れれば絶縁フィルム２０の端部からケーブルに接着している絶縁フィルム２０を剥がすことができる。従って、端末加工時の絶縁フィルム２０の除去作業及びケーブルとコネクタとの接続作業が容易に行い得る。また、各差動信号対電線１８を絶縁フィルム２０で全長に亘って固定することで、差動信号対電線の絶縁特性を確保でき、また外層に絶縁層を必要としないのでケーブル自体を薄くできる。
【実施例２】
【００２６】
図４は実施例２の差動信号伝送ケーブルを示す横断面図である。
この差動信号伝送ケーブル２８は、２本の絶縁電線１２と２本のドレイン線１４とが同一平面上に並列配置され、その外周に金属プラスチックラミネートテープの金属面を内側に、かつプラスチック面を外側にして縦添えによる遮蔽層１６が設けられた差動信号対電線２４を備えている。そして、差動信号対電線２４の複数本を、それぞれ同一平面上に並列配置すると共に、これらの差動信号対電線２４の金属プラスチックラミネートテープの重ね合わせ面の平面部に１枚の絶縁フィルム２６が配置されている。１枚の絶縁フィルム２６は、差動信号対電線２４の一方平面部に接着されている。
【００２７】
この差動信号伝送ケーブル２８は、ケーブル可撓性がより向上し、所望の方向に折り曲げ易いので、使用時には複数本の差動信号対電線２４及び絶縁フィルム２６を、図３に示すようにアコーデオン蛇腹状に左右に折り畳んだり、捻りを加えたりして全体的に丸く束ねることができる。また、端末加工時の絶縁フィルムの除去作業及びケーブルとコネクタとの接続作業を、さらに容易に行い得る。また、差動信号対電線２４の金属プラスチックラミネートテープの重ね合わせ面の平面部に絶縁フィルム２６を接着したことにより、金属プラスチックラミネートテープの重ね合わせ面がより強固に保持される。
【図面の簡単な説明】
【００２８】
【図１】実施例１の差動信号伝送ケーブルを示す横断面図である。
【図２】差動信号対電線を示す斜視図である。
【図３】同差動信号伝送ケーブルの使用例を示す横断面図である。
【図４】実施例２の差動信号伝送ケーブルを示す横断面図である。
【図５】従来の差動信号伝送ケーブルを示す横断面図である。
【図６】従来の他の差動信号伝送ケーブルを示す横断面図である。
【図７】従来のさらに他の差動信号伝送ケーブルを示す横断面図である。
【符号の説明】
【００２９】
１２  絶縁電線
１４  ドレイン線
１６  遮蔽層
１８  差動信号対電線
２０  絶縁フィルム
２２  差動信号伝送ケーブル
【図１】
2007059323.tif 000003
【図２】
2007059323.tif 000004
【図３】
2007059323.tif 000005
【図４】
2007059323.tif 000006
【図５】
2007059323.tif 000007
【図６】
2007059323.tif 000008
【図７】
2007059323.tif 000009